(57)【要約】【課題】この出願の発明は、ねじ節鉄筋同士を突き合わせ接合するねじふし鉄筋用継手金具のねじ山を工夫することにより、ねじふし鉄筋の芯ずれやピッチずれが生じても接合することのできる、ねじふし鉄筋用継手金具を提供することを目的とするものである。【解決手段】上記課題を解決するため、ねじ節鉄筋同士の突き合わせ接合を、鉄のせん断力に頼るメカニズムにモルタルによる付着力を加味することにより課題を解決したものである。【選択図】  図１
2004278219.tif 000002
【特許請求の範囲】
【請求項１】
鉄筋同士を突き合わせ接合する継手金具に係るもので、両端に開口部を有する中空筒状の本体内周面に、所定の間隔で環状の内部突起と、ねじふし鉄筋のふし高より高く、一部切り欠かれたねじ山を設けたことを特徴とするねじふし鉄筋用継手金具。
【請求項２】
中空筒状本体に、グラウト材の注入孔および排出孔を設けたことを特徴とする請求項１記載のねじふし鉄筋用継手金具。
【請求項３】
一部切り欠かれたねじ山は一方の開口部側である片側に設け、他方の開口部側の片側は、グラウト材の注入により接合する充填方式にしたことを特徴とする請求項１又は２記載のねじふし鉄筋用継手金具。
【請求項４】
一部切り欠かれたねじ山は、両開口部側の一部に設けたことを特徴とする請求項１又は２記載の鉄筋用継手金具。
【請求項５】
中空筒状本体に、鉄筋を仮固定する手段を設けたことを特徴とする請求項１〜４の何れか１記載のねじふし鉄筋用継手金具。
【請求項６】
中空筒状本体の外面形状は、円柱、角柱又は円錐形からなることを特徴とする請求項１〜５の何れか１記載のねじふし鉄筋用継手金具。
【発明の詳細な説明】
【０００１】
【発明が属する技術分野】
この出願の発明は、鉄筋コンクリート造、或いは鉄骨鉄筋コンクリート造建築物において、鉄筋同士を突き合わせ接合するねじふし鉄筋用継手金具に関するものである。
【０００２】
【従来の技術】
従来のねじふし鉄筋用継手は、鉄筋のふしと継手のふしを噛み合わせ、主として鉄のせん断力に頼るメカニズムとなっていることから、製造する鉄筋の径・ふし高さ・ふしピッチに合わせて設計しており、芯ずれやピッチずれが生じると施工しにくいという問題点があった。
【０００３】
図５に示す継手金具は従来例で、グラウト材を使用するねじふし鉄筋用継手金具１１１により、ねじふし鉄筋１１２を突き合わせ接合するもので、内周面にねじ山１１３が、外周面中央にグラウト材の注入孔１１４が設けられ、軸方向両端からねじ込まれたねじふし鉄筋１１２を、注入孔１１４から内部に注入したグラウト材１１５を介して接続固定する方式である。
ねじふし鉄筋用継手金具１１１の内周面に設けたねじ山１１３は断面台形からなり、該継手金具にねじ込まれるねじふし鉄筋１１２のふしも同様な台形断面からなっており、ねじふし鉄筋用継手金具１１１にねじふし鉄筋１１２をねじ込んだときの隙間は小さく、グラウトの作業は容易でなかった。
【０００４】
また、接合する２つのねじふし鉄筋の先端のねじ山の位相が合致しなくても相互に近接させて接合することができ、また、接合する２つのねじふし鉄筋のピッチが多少異なっていてもねじ込んで接合することができるねじふし鉄筋用継手金具として、
内周面にねじ山を、外周面中央にグラウト材の注入孔を備え、軸方向両端からねじ込まれたねじふし鉄筋を前記グラウト材の注入孔から内部に充填したグラウト材により接続固定するねじふし鉄筋用継手であって、前記ねじ山の少なくともひっかかり高さ部分の幅を、両側の傾斜角はそのままにして山頂の幅がピッチの１５％以下となるように削減したねじふし鉄筋用継手金具がある。
しかし、このねじふし鉄筋用継手金具は、ねじ山を台形から三角形にしていることから、ピッチずれ等には対応できるが芯ずれに対しては対応することができなかった。
【０００５】
【発明が解決しようとする課題】
この出願の発明は、相対する鉄筋同士を突き合わせ接合するねじふし鉄筋用継手金具のねじ山を工夫することにより、ねじふし鉄筋の芯ずれやピッチずれが生じても接合することのできる、ねじふし鉄筋用継手金具を提供することを目的とするものである。
【０００６】
【課題を解決するための手段】
この出願の発明は、上記した課題を解決するため、ねじふし鉄筋用継手金具による鉄筋同士の突き合わせ接合を、鉄のせん断力に頼るメカニズムにモルタルによる付着力を加味することにより、これらの施工性を良くしたものである。
【０００７】
具体的構成の１は、両端に開口部を有する中空筒状の本体内周面に、所定の間隔で環状の内部突起と、ねじふし鉄筋のふし高より高く、一部切り欠かれたねじ山を形成したことを特徴とする、ねじふし鉄筋用継手金具を特徴とするものである。
【０００８】
具体的構成の２は、中空筒状本体に、グラウト材の注入孔と排出孔を設けたねじふし鉄筋用継手金具を特徴とするものである。
【０００９】
具体的構成の３は、一部切り欠かれたねじ山は一方の開口部側である片側に設け、他方の開口部側はグラウト充填方式にしたねじふし鉄筋用継手金具を特徴とするものである。
【００１０】
具体的構成の４は、一部切り欠かれたねじ山は、両開口部側の一部に設けたねじふし鉄筋用継手金具を特徴とするものである。
【００１１】
具体的構成の５は、中空筒状本体に、鉄筋を仮固定する手段を設けたねじふし鉄筋用継手金具を特徴とするものである。
【００１２】
具体的構成の６は、中空筒状本体の外面形状を、円柱、角柱又は円錐形とし、更に、ヒレやリングによる補強手段を設けたねじふし鉄筋用継手金具を特徴とするものである。
【００１３】
【発明の実施の形態】
この出願の発明を、図面に示す実施例に基づいて説明する。
【００１４】
【実施例１】
図１ａは、ねじふし鉄筋用継手金具１の縦断面図、図１ｂは、図１ａにおける垂直断面図を示すもので、中空筒状本体２の内周面に、所定の間隔で環状の内部突起３が形成され、グラウト材の注入孔４および排出孔５が設けられている。
【００１５】
該環状からなる内部突起３の断面積は従来の継手より小さく、この内部突起３にクロスする形で、且つ、ねじふし鉄筋６のふし７の高さよりも高くなるようにして、中空筒状本体２の内周面にねじ山８が形成されている。
中空筒状本体２の内周面に形成されるねじ山８は、１個の投影面積が３６０度方向に設けられるものではなく、一部切り欠かれた形で形成されている。
【００１６】
図２は、ねじふし鉄筋用継手金具１を切断した内部斜視図を示すもので、中空筒状本体２の内周面に所定の間隔で環状の内部突起３が形成され、更に、該内部突起３とクロスする形で、且つ、内部突起３の高さよりも少し高くなるようにしてねじ山８が形成されている。
図１ｂの垂直断面図には、中空筒状本体２の内周面に、環状に設けた内部突起３の高さよりも少し高くしてねじ山８が設けられている鉄筋継手金具１が示されている。
【００１７】
図１ａに示すねじふし鉄筋用継手金具１は、一方の開口部側である片側内周面（図面では右半部）には、環状の内部突起３とねじ山８が形成され、他方の開口部側となる片側内周面（図面では左半部）には、環状の内部突起３だけを設けた、ねじふし鉄筋用継手とグラウト充填式継手から構成されたねじふし鉄筋用継手金具１（いわゆる「片筒式継手」）である。
【００１８】
この出願の発明は、例えば、鉄筋コンクリート梁の接合部における鉄筋の突き合わせ部にねじふし鉄筋用継手金具１を取り付け、該継手金具１の側壁に設けた注入孔４からグラウト材を注入し、排出孔５からグラウト材が溢れ出るのを確認することにより、グラウト材が完全に充填されたか否かを確認することができ、グラウト材の硬化により鉄筋同士が接合される。
グラウト材には、例えば、エポキシ樹脂、シリコーン樹脂、ポリエチレン樹脂、早強セメント等の無機材或いは有機材からなる材料が使用される。
【００１９】
施工性を良くするために、ねじふし鉄筋用継手金具１の両端近傍にボルト孔９を設け、該ボルト孔９にボルトを螺入することにより、該ねじふし鉄筋用継手金具１に挿入される鉄筋を安定した状態で固定することができ、グラウト材の注入作業を容易に行うことができる。
また、ねじふし鉄筋用継手金具１の鉄筋挿入口の外側にシール材を、例えば、螺着等の手段により装着することによりグラウト材の漏れを防ぐことができる。
【００２０】
【実施例２】
図３ａは、ねじふし鉄筋用継手金具１１の縦断面図、図３ｂは、図３ａにおける垂直断面図を示すもので、中空筒状本体２の内周面に、所定の間隔で環状の内部突起３が形成され、グラウト材の注入孔４および排出孔５が設けられいる。
【００２１】
環状からなる内部突起３の断面積は従来の継手より小さく、この内部突起３とクロスする形で、且つ、ねじふし鉄筋６のふし７の高さよりも高くなるようにして、中空筒状本体２の内周面にねじ山８が形成されている。
中空筒状本体２の内周面に形成されるねじ山８は、１個の投影面積が３６０度方向に設けられるものではなく、一部切り欠かれた形で成形されている。
【００２２】
図３ａのねじふし鉄筋用継手金具１１は、両開口部側から所定の範囲の内周面に、環状の内部突起３とねじ山８が形成されたねじふし継手により構成された鉄筋継手金具１１が示されている。
実施例１と同じように、例えば、鉄筋コンクリート梁の接合部における鉄筋の突き合わせ部にねじふし鉄筋用継手金具１１を取り付け、該継手金具１１の側壁に設けた注入孔４からグラウト材を注入し、グラウト材が硬化することにより鉄筋同士は接合される。
【００２３】
ねじふし鉄筋用継手金具１，１１を形成する中空筒状本体２の外面形状は、円柱・角柱・円錐形が好ましいが、これに限定されるものではない。
また、ねじふし鉄筋用継手金具１，１１を補強するため、中空筒状本体２の外周面に、ヒレやリングを設けても良い。
【００２４】
図４は、ねじふし鉄筋用継手金具１，１１の一方の開口部側（ねじふし鉄筋用継手金具の半部）にねじ込まれたねじふし鉄筋６とねじふし継手との関係を示す断面図である。
ねじふし鉄筋用継手金具１，１１の内周面と、ねじふし鉄筋６のねじ山８との間を大きくし、更に、中空筒状本体２のねじ山１個の投影面積が３６０度方向になく、一部切り欠かれた構造からなっている。
【００２５】
【発明の効果】
この出願の発明は、ねじふし鉄筋とねじふし継手との関係を、上記した構造にしたので、製造する鉄筋の径・ふし高さ・ふしピッチにより、芯ずれやピッチずれが生じても充分対応することができる。
また、中空筒状本体のねじ山は寸断されているが、ねじ山に近接して設けた環状の内部突起とグラウト材により接合が強化される。
更に、中空筒状本体の内周面及びねじ山と、ねじふし鉄筋のふし等との間隔を大きくしたことから、グラウト材の充填が容易になり、施工性が良い。
【図面の簡単な説明】
【図１】（ａ）ねじふし鉄筋用継手金具の縦断面図である。
（ｂ）ねじふし鉄筋用継手金具の垂直断面図である。
【図２】ねじふし鉄筋用継手金具を切断した内部斜視図である。
【図３】（ａ）ねじふし鉄筋用継手金具の縦断面図である。
（ｂ）ねじふし鉄筋用継手金具の垂直断面図である。
【図４】ねじふし鉄筋とねじふし継手との関係を示す断面図である
【図５】従来のねじふし鉄筋用継手金具による継手部を示す断面図である。
【符号の説明】
１・・・ねじふし鉄筋用継手金具
１１・・ねじふし鉄筋用継手金具
２・・・中空筒状本体
３・・・内部突起
４・・・注入孔
５・・・排出孔
６・・・グラウト材
７・・・ふし
８・・・ねじ山
９・・・ボルト孔
１１１・ねじふし鉄筋用継手金具
１１２・ねじふし鉄筋
１１３・ねじ山
１１４・注入孔
１１５・グラウト材
【図１】
2004278219.tif 000003
【図２】
2004278219.tif 000004
【図３】
2004278219.tif 000005
【図４】
2004278219.tif 000006
【図５】
2004278219.tif 000007